(57)【要約】      （修正有）【課題】動画シーケンスに関する、対象とする用途の制限された長さで、ユーザからの指示により取得した動画シーケンスの取得を停止させるための事前の決定を無線通信装置のユーザから受信するとともに、制限された長さに達すると事前の決定を実行する方法およびシステムである。【解決手段】この方法およびシステムは、ユーザが動画シーケンスの長さを継続して監視し、ちょうどのタイミングで動画シーケンスの取得を停止させる。【選択図】図１
2008167411.tif 000002
【特許請求の範囲】
【請求項１】
動画シーケンスを取得するためのビデオキャプチャシステムと、
ユーザに対し情報を入出力するためのユーザインターフェースと、
これらビデオキャプチャシステムおよびユーザインターフェースと通信可能に接続されたプロセッサとを備え、
上記プロセッサは、
上記ビデオキャプチャシステムに対して動画シーケンスを取得するように制御するとともに、
上記動画シーケンスの対象とする用途により制限された長さで、この動画シーケンスの取得を停止させるための事前決定を示す指示を、上記ユーザインターフェースを介して受付け、上記動画シーケンスの長さが上記制限された長さに達したときに、この動画シーケンスの取得を停止させるように、上記ビデオキャプチャシステムを制御することを特徴とする通信装置。
【請求項２】
動画シーケンスの取得を停止させるための事前決定を示す指示を入力するためのキーとして、取得した動画シーケンスの長さが所定の制限された長さに達したときに、該動画シーケンスの取得を停止させるように指示するための、所定長停止キーを上記ユーザインターフェースが備え、
上記プロセッサは、上記所定長停止キーによる入力を受付けた後、上記動画シーケンスの長さが上記制限された長さに達したと判断したとき、動画シーケンスの取得を停止させるように、上記ビデオキャプチャシステムを制御することを特徴とする請求項１に記載の通信装置。
【請求項３】
動画シーケンスの取得を停止させるための事前決定を示す指示を入力するためのキーとして、動画シーケンスの取得を停止させるように指示するための、停止キーを上記ユーザインターフェースが備え、
上記停止キーは、入力を受付けると、この入力を受付けた状態にて保持されるように構成されており、
上記プロセッサは、上記停止キーが入力を受付けている状態から解放された状態となった場合、動画シーケンスの取得を停止させるように、上記ビデオキャプチャシステムを制御することを特徴とする請求項１に記載の通信装置。
【請求項４】
動画シーケンスの取得を停止させるための事前決定を示す指示を入力するためのキーとして、動画シーケンスの取得を指示するための録画キーと、動画シーケンスの取得を停止させるように指示するための停止キーとを上記ユーザインターフェースが備え、
上記プロセッサは、上記録画キーが所定時間以上、入力を受付けている状態にあるか否かを判断しており、上記録画キーが所定時間以上、入力を受付けている状態にある場合、上記動画シーケンスの長さが上記制限された長さに達したと判断したときに、動画シーケンスの取得を停止させるように、ビデオキャプチャシステムを制御し、
上記録画キーの入力を受付けている状態が、所定時間未満であると判断した場合、上記停止キーによる入力を検知したときに、動画シーケンスの取得の停止させるように、ビデオキャプチャシステムを制御することを特徴とする制球項１に記載の通信装置。
【請求項５】
動画シーケンスの取得を停止させるための事前決定を示す指示を入力するためのキーとして、動画シーケンスの取得を停止させるように指示するための、停止キーを上記ユーザインターフェースが備え、
取得した動画シーケンスの長さが上記制限された長さに達する前に、上記停止キーが入力を受付けた状態から解放されるまでの所定の時間間隔を示す時間窓が設定されており、
上記プロセッサは、上記停止キーにより入力を受付け、該受付けた状態が解放された時点で取得した動画シーケンスの長さが、上記時間窓として規定した範囲における動画シーケンスの長さにある場合で、かつ取得した動画シーケンスの長さが上記制限された長さに達したと判断したときに、動画シーケンスの取得を停止させるようにビデオキャプチャシステムを制御し、
取得した動画シーケンスの長さが、上記時間窓として規定した範囲における動画シーケンスの長さにないと判断したとき、その時点で動画シーケンスの取得を停止させるように、ビデオキャプチャシステムを制御することを特徴とする請求項１に記載の通信装置。
【請求項６】
上記ユーザインターフェースは、上記時間窓を表示するための表示部をさらに備えることを特徴とする請求項５に記載の通信装置。
【請求項７】
他の通信装置との接続を確立させ、該他の通信装置に動画シーケンスを送信するための
無線インターフェースを備えており、
上記プロセッサが、上記対象とする用途として、データ長を制限するマルチメディアメッセージ形式により、上記無線インターフェースを介して上記動画シーケンスをオフロードすることを含むことを特徴とする請求項１〜６のいずれか１項に記載の通信装置。
【請求項８】
対象とする用途に応じて動画の取得制限を実施する、通信装置の制御方法であって、
上記通信装置は、動画シーケンスを取得するためのビデオキャプチャシステムと、
ユーザに対し情報を入出力するためのユーザインターフェースと、これらビデオキャプチャシステムおよびユーザインターフェースと通信可能に接続されたプロセッサとを備え、
上記プロセッサが、
動画シーケンスを取得するように上記ビデオキャプチャシステムに指示するステップと、
上記動画シーケンスに関する対象とする用途の制限された長さにて動画シーケンスの取得を停止させる決定を示し、該制限された長さに達する前に上記ユーザインターフェースにより受付ける入力情報に応じて、上記制限された長さに達した際に、動画シーケンスの取得を停止するように上記ビデオキャプチャシステムに指示するステップと、を含むことを特徴とする通信装置の制御方法。
【請求項９】
上記ユーザインターフェースは、取得した動画シーケンスの長さが所定の制限された長さに達すると、該動画シーケンスの取得を停止させるように指示するための入力キーである所定長停止キーを備えており、
上記ユーザインターフェースにより受付ける入力情報として、上記所定長停止キーからの入力を受付けることを特徴とする請求項８に記載の通信装置の制御方法。
【請求項１０】
上記ユーザインターフェースは、動画シーケンスの取得を停止させるように指示するための入力キーである停止キーを備えており、
上記停止キーは、入力を受付けると、この入力を受付けた状態にて保持されるように構成されており、
上記ユーザインターフェースにより受付ける入力情報として、上記停止キーが入力を受付けている状態から解放された状態となる状態の変化を受付けることを特徴とする請求項８に記載の通信装置の制御方法。
【請求項１１】
上記ユーザインターフェースは、動画シーケンスの取得を指示するための入力キーであって、入力を受付けている状態に応じて、動画シーケンスの取得の停止タイミングを決定する録画キーを備えており、
上記ユーザインターフェースにより受付ける入力情報として、上記録画キーが所定時間以上、入力を受付けている状態であるか否かを示す情報を受付け、
上記録画キーが所定時間以上、入力を受付けている状態である場合、上記制限された長さに達すると、動画シーケンスの取得を停止するように上記ビデオキャプチャシステムに指示することを特徴とする請求項８に記載の通信装置の制御方法。
【請求項１２】
上記ユーザインターフェースは、動画シーケンスの取得を停止させるための入力キーである停止キーを備えており、
取得した動画シーケンスの長さが上記制限された長さに達する前に、上記停止キーが入力を受付けた状態から解放されるまでの所定の時間間隔を示す時間窓が設定されており、
上記ユーザインターフェースにより受付けた入力情報として、上記停止キーが入力を受付けた状態から解放された時点での、取得した動画シーケンスの長さについて受付けており、
上記停止キーが入力を受付けた状態から解放された時点での、取得した動画シーケンスの長さが、上記時間窓として規定した範囲における動画シーケンスの長さである場合、動画シーケンスの長さが上記制限された長さに達すると、動画シーケンスの取得を停止するように上記ビデオキャプチャシステムに指示することを特徴とする請求項８に記載の通信装置の制御方法。
【請求項１３】
上記ユーザインターフェースが表示部を備え、
上記プロセッサが、上記表示部にて上記時間窓を表示するステップをさらに含むことを特徴とする請求項１２に記載の通信装置の制御方法。
【請求項１４】
上記通信装置は、他の通信装置との接続を確立させ、該他の通信装置に動画シーケンスを送信するための無線インターフェースを備えており、
上記対象とする用途として、データ長を制限するマルチメディアメッセージ形式にて、上記無線インターフェースを介して上記動画シーケンスをオフロードすることを含むことを特徴とする請求項８〜１３のいずれか１項に記載の通信装置の制御方法。
【請求項１５】
対象とする用途に応じて動画の取得制限を実施する、通信装置の制御方法であって、
上記通信装置は、動画シーケンスを取得するためのビデオキャプチャシステムと、
ユーザに対し情報を入出力するためのユーザインターフェースと、これらビデオキャプチャシステムおよびユーザインターフェースと通信可能に接続されたプロセッサとを備え、
上記プロセッサが、
動画シーケンスを取得するように上記ビデオキャプチャシステムに指示する第１ステップと、
上記動画シーケンスに関する対象とする用途の制限された長さにて動画シーケンスの取得を停止させる事前決定の入力情報を上記ユーザインターフェースにより受付ける第２ステップと、
上記制限された長さに到達すると、動画シーケンスの取得を停止するように上記ビデオキャプチャシステムに指示する第３ステップと含むことを特徴とする通信装置の制御方法。
【請求項１６】
上記ユーザインターフェースは、取得した動画シーケンスの長さが所定の制限された長さに達すると、該動画シーケンスの取得を停止させるように指示するための入力キーである所定長停止キーを備えており、
上記第２ステップにおいて、上記ユーザインターフェースにより受付けた上記事前決定の入力情報として、上記所定長停止キーからの入力を受付けることを特徴とする請求項１５に記載の通信装置の制御方法。
【請求項１７】
上記ユーザインターフェースは、動画シーケンスの取得を停止させるように指示するための入力キーである停止キーを備えており、
上記停止キーは、入力を受付けると、この入力を受付けた状態にて保持されるように構成されており、
上記第２ステップにおいて、上記ユーザインターフェースにより受付ける上記事前決定の入力情報として、上記停止キーが入力を受付けている状態から解放された状態となる状態の変化を受付けることを特徴とする請求項１５に記載の通信装置の制御方法。
【請求項１８】
上記ユーザインターフェースは、動画シーケンスの取得を指示するための入力キーであって、入力を受付けた状態に応じて、動画シーケンスの取得の停止タイミングを決定する録画キーを備えており、
上記第２ステップにおいて、上記ユーザインターフェースにより受付ける上記事前決定の入力情報として、上記録画キーが所定時間以上、入力を受付けている状態であるか否かを示す情報を受付け、
上記録画キーが所定時間以上、入力を受付けている状態である場合、上記第３ステップにおいて、上記制限された長さに到達すると、動画シーケンスの取得を停止するように上記ビデオキャプチャシステムに指示することを特徴とする請求項１５に記載の通信装置の制御方法。
【請求項１９】
上記ユーザインターフェースは、動画シーケンスの取得を停止させるための入力キーである停止キーを備えており、
取得した動画シーケンスの長さが上記制限された長さに達する前に、上記停止キーが入力を受付けた状態から解放されるまでの所定の時間間隔を示す時間窓が設定されており、
上記第２ステップにおいて、上記ユーザインターフェースにより受付けた上記事前決定の入力情報として、上記停止キーが入力を受付けた状態から解放された時点での、取得した動画シーケンスの長さについて受付けており、
上記停止キーが入力を受付けた状態から解放された時点での、取得した動画シーケンスの長さが、上記時間窓として規定した範囲における動画シーケンスの長さである場合、上記第３ステップにおいて、動画シーケンスの長さが上記制限された長さに達すると、動画シーケンスの取得を停止するように上記ビデオキャプチャシステムに指示することを特徴とする請求項１５に記載の通信装置の制御方法。
【発明の詳細な説明】
【技術分野】
【０００１】
本発明は、移動電子装置における動画シーケンス（動画像列）の記録に関するものであって、特には、ユーザが、通信装置に記録された動画シーケンスの長さを、当該動画シーケンスの対象とする用途（target use)に容易に適合させることができるようにする通信装置および通信装置の制御方法に関するものである。
【背景技術】
【０００２】
近年、携帯電話機、ポケットＰＣ、および携帯情報端末（ＰＤＡ）等の無線通信装置では、しばしば短い動画シーケンスを記録可能とするビデオキャプチャシステムを備えているものがある。そして、このビデオキャプチャシステムを使用して、取得された動画シーケンスは、さまざまな方法で格納、転送、再生される。たとえば、上記動画シーケンスを、上記無線通信装置のローカルメモリに格納し、該無線通信装置において再生する。あるいは、上記動画シーケンスを、上記無線通信装置に挿入した着脱可能なメモリカードに格納し、該無線通信装置において再生、または前記着脱可能なメモリカードを受け取った装置とは別の装置に転送し、再生する。また、これら動画シーケンスを、上記無線通信装置のローカルメモリに格納し、有線接続された再生用の他のローカル装置に転送する。あるいはこれら動画シーケンスを、上記無線通信装置のローカルメモリに格納し、無線接続された再生用の遠隔装置に転送する。
【０００３】
ところで、これら動画シーケンスの対象とする用途（target use)それぞれでは、動画シーケンスについて、異なる、制限された長さ（limit length）が設定されている。制限された長さとは、記録装置、再生装置、およびこれら記録装置と再生装置との間で転送されている動画シーケンスのモードに固有のものである、もしくは設定されたものである。たとえば、ある装置のローカルメモリには、このメモリに記憶された動画シーケンスに対して第１の制限された長さが設定され、着脱可能なメモリカードには、このメモリカードに記憶された動画シーケンスに対して第２の制限された長さが設定されている。また、装置間の転送モードでは、転送された動画シーケンスに対しての第３の制限された長さが設定されている。後者のタイプの制限（第３の制限された長さ）に関しては、携帯電話ネットワーク上で動画シーケンスを転送するための一般的なサービスの１つである、マルチメディアメッセージングサービス(MMS：Multimedia Messaging Service)を挙げることができる。ＭＭＳをサポートする携帯電話ネットワークのオペレータ（キャリア）は、通常は、動画シーケンスの転送に使用されるＭＭＳメッセージサイズに、たとえば１００キロバイト等の制限を設定している。
【０００４】
特許文献１では、このようなマルチメディアメッセージによるデータサイズの制限をユーザに示す装置が開示されている。この装置は、マルチメディアメッセージを作成するアプリケーションを備え、ネットワークで規定されたマルチメディアメッセージサイズの制限を登録し、この制限を、マルチメディアメッセージの作成に利用したり、このメッセージサイズの制限をユーザに示したりすることができる。
【特許文献１】国際公開第２００５／０８８９９２号パンフレット（２００５年９月２２日公開）
【発明の開示】
【発明が解決しようとする課題】
【０００５】
しかしながら、上述のように、動画シーケンスの長さに制限が設定されているにもかかわらず、従来の無線通信装置では、対象とする用途について制限された動画シーケンスの長さに対して、現在の動画シーケンスがどれだけの長さであるのかをユーザに通知しない。このため、ビデオキャプチャシステムにより取得した動画シーケンスの長さが、ユーザの気付かないうちに制限された長さを超えることとなる。そして、制限を超過したこのような動画シーケンスは切り取られてしまい、再生してもその末端が視聴不可能となるか、あるいは全く再生されなくなることもある。さらにまた、この動画シーケンスに対して広範囲にわたるトリミング処理を強いることとなり、大きなメモリが必要となる。
【０００６】
本発明は、上記の問題点に鑑みてなされたものであり、その目的は、動画シーケンスの長さに制限が設定されている場合、適切なタイミングで動画シーケンスの取得を停止させることができる通信装置および通信装置の制御方法を実現することにある。
【課題を解決するための手段】
【０００７】
本発明に係る通信装置は、上記した課題を解決するために、動画シーケンスを取得するためのビデオキャプチャシステムと、ユーザに対し情報を入出力するためのユーザインターフェースと、これらビデオキャプチャシステムおよびユーザインターフェースと通信可能に接続されたプロセッサとを備え、上記プロセッサは、上記ビデオキャプチャシステムに対して動画シーケンスを取得するように制御するとともに、上記動画シーケンスの対象とする用途により制限された長さで、この動画シーケンスの取得を停止させるための事前決定を示す指示を、上記ユーザインターフェースを介して受付け、上記動画シーケンスの長さが上記制限された長さに達したときに、この動画シーケンスの取得を停止させるように、上記ビデオキャプチャシステムを制御することを特徴とする。
【０００８】
本発明に係る通信装置の制御方法は、上記した課題を解決するために、対象とする用途に応じて動画の取得制限を実施する、通信装置の制御方法であって、上記通信装置は、動画シーケンスを取得するためのビデオキャプチャシステムと、ユーザに対し情報を入出力するためのユーザインターフェースと、これらビデオキャプチャシステムおよびユーザインターフェースと通信可能に接続されたプロセッサとを備え、上記プロセッサが、動画シーケンスを取得するように上記ビデオキャプチャシステムに指示するステップと、上記動画シーケンスに関する対象とする用途の制限された長さにて動画シーケンスの取得を停止させる決定を示し、該制限された長さに達する前に上記ユーザインターフェースにより受付けた入力に応じて、上記制限された長さに達した際に、動画シーケンスの取得を停止するように上記ビデオキャプチャシステムに指示するステップと、を含むことを特徴とする。
【０００９】
本発明に係る通信装置の制御方法は、上記した課題を解決するために、対象とする用途に応じて動画の取得制限を実施する、通信装置の制御方法であって、上記通信装置は、動画シーケンスを取得するためのビデオキャプチャシステムと、ユーザに対し情報を入出力するためのユーザインターフェースと、これらビデオキャプチャシステムおよびユーザインターフェースと通信可能に接続されたプロセッサとを備え、上記プロセッサが、動画シーケンスを取得するように上記ビデオキャプチャシステムに指示する第１ステップと、上記動画シーケンスに関する対象とする用途の制限された長さにて動画シーケンスの取得を停止させる事前決定の入力情報を上記ユーザインターフェースにより受付ける第２ステップと、上記制限された長さに到達すると、動画シーケンスの取得を停止するように上記ビデオキャプチャシステムに指示する第３ステップと含むことを特徴とする。
【００１０】
なお、上記動画シーケンスとしては、例えば、映像データ、映像データおよび音声データの組み合わせ等が挙げられる。
【００１１】
また、動画シーケンスの長さとは、例えば、動画シーケンスのデータ長、または動画シーケンスの再生時間等が挙げられる。
【００１２】
上記構成および方法によると、対象とする用途により制限された長さで、動画シーケンスの取得を停止させるための決定を示す指示を事前に受付けることにより、上記動画シーケンスの長さが上記制限された長さに達したときに、この動画シーケンスの取得を停止させるように、上記プロセッサが制御することができる。したかって、取得している動画シーケンスの長さをユーザが監視しておく必要がなく、制限された長さの動画シーケンスの取得を行うことができる。
【００１３】
よって、本発明に係る通信装置および通信装置の制御方法は、取得する動画シーケンスの長さに制限が設定されている場合、適切なタイミングで動画シーケンスの取得を停止させることができるという効果を奏する。
【発明の効果】
【００１４】
本発明に係る通信装置は、以上のように、動画シーケンスを取得するためのビデオキャプチャシステムと、ユーザに対し情報を入出力するためのユーザインターフェースと、これらビデオキャプチャシステムおよびユーザインターフェースと通信可能に接続されたプロセッサとを備え、上記プロセッサは、上記ビデオキャプチャシステムに対して動画シーケンスを取得するように制御するとともに、上記動画シーケンスの対象とする用途により制限された長さで、この動画シーケンスの取得を停止させるための事前決定を示す指示を、上記ユーザインターフェースを介して受付け、上記動画シーケンスの長さが上記制限された長さに達したときに、この動画シーケンスの取得を停止させるように、上記ビデオキャプチャシステムを制御することを特徴とする。
【００１５】
本発明に係る通信装置の制御方法は、以上のように、対象とする用途に応じて動画の取得制限を実施する、通信装置の制御方法であって、上記通信装置は、動画シーケンスを取得するためのビデオキャプチャシステムと、ユーザに対し情報を入出力するためのユーザインターフェースと、これらビデオキャプチャシステムおよびユーザインターフェースと通信可能に接続されたプロセッサとを備え、上記プロセッサが、動画シーケンスを取得するように上記ビデオキャプチャシステムに指示するステップと、上記動画シーケンスに関する対象とする用途の制限された長さにて動画シーケンスの取得を停止させる決定を示し、該制限された長さに達する前に上記ユーザインターフェースにより受付ける入力情報に応じて、上記制限された長さに達した際に、動画シーケンスの取得を停止するように上記ビデオキャプチャシステムに指示するステップと、を含むことを特徴とする。
【００１６】
本発明に係る通信装置の制御方法は、以上のように、対象とする用途に応じて動画の取得制限を実施する、通信装置の制御方法であって、上記通信装置は、動画シーケンスを取得するためのビデオキャプチャシステムと、ユーザに対し情報を入出力するためのユーザインターフェースと、これらビデオキャプチャシステムおよびユーザインターフェースと通信可能に接続されたプロセッサとを備え、上記プロセッサが、動画シーケンスを取得するように上記ビデオキャプチャシステムに指示する第１ステップと、上記動画シーケンスに関する対象とする用途の制限された長さにて動画シーケンスの取得を停止させる事前決定の入力情報を上記ユーザインターフェースにより受付ける第２ステップと、上記制限された長さに到達すると、動画シーケンスの取得を停止するように上記ビデオキャプチャシステムに指示する第３ステップと含むことを特徴とする。
【００１７】
よって、本発明に係る通信装置および通信装置の制御方法は、取得する動画シーケンスの長さに制限が設定されている場合、適切なタイミングで動画シーケンスの取得を停止させることができるという効果を奏する。
【発明を実施するための最良の形態】
【００１８】
図１では、無線通信装置１００を示している。無線通信装置１００は、たとえば、無線ネットワーク接続を有する、携帯電話機、インターネットプロトコル（ＩＰ）電話機、またはポケットＰＣ、あるいは携帯情報端末（ＰＤＡ）等である。無線通信装置１００は、ビデオキャプチャシステム１３０，ユーザインターフェース（停止キー、所定長停止キー、録画キー、表示部）１４０，着脱可能なメモリカード１５０，および無線インターフェース１６０，ならびにこれらそれぞれとの間で通信可能に接続されたプロセッサ１１０を備える。プロセッサ１１０は、ローカルメモリ１２０に格納された装置ソフトウェアを実行し、上記各部１３０，１４０，１５０，および１６０との相互作用により、無線通信装置１００にてサポートされる様々な特徴および機能を実現する。
【００１９】
ビデオキャプチャシステム１３０は、ビデオカメラを備えており、このビデオカメラは、プロセッサ１１０の制御の下、動画シーケンスを取得する。いくつかの実施形態では、ビデオキャプチャシステム１３０は、さらに、マイクを備えており、このマイクは、プロセッサ１１０の制御下で、動画シーケンスに伴う音声シーケンス（音声列）を録音する。当然、本明細書にて記載する動画シーケンスは、特に区別して言及しないが、付随する音声シーケンスを含むものであってもよい。
【００２０】
ユーザインターフェース１４０は、ディスプレイ（表示部）を備えており、該ディスプレイは、プロセッサ１１０の制御下、ほぼリアルタイムでビデオキャプチャシステム１３０によって取得した動画シーケンスを表示する。このディスプレイはまた、プロセッサ１１０の制御の下、動画シーケンスと、該動画シーケンスに関する対象とする用途との適合についての情報である適合情報をほぼリアルタイムで表示する。このディスプレイは、例えば液晶ディスプレイ（ＬＣＤ）によって実現できる。さらにまた、ユーザインターフェース１４０は、キーパッドを備えており、該キーパッドはユーザからの入力を受付ける。このキーパッドは、例えば、ソフトキーを補完した標準的な１２キーの電話機用キーパッドであってもよい。
【００２１】
メモリカード１５０は、無線通信装置１００から容易に着脱可能な記憶素子であって、プロセッサ１１０の制御下で、ビデオキャプチャシステム１３０によって取得した動画シーケンス等、無線通信装置１００で受信または生成したデータを、デジタル形式で格納する。なお、無線通信装置１００は、メモリカード１５０を受付け、該メモリカード１５０と通信可能に接続するように適応された通信インターフェースを有するスロットを備える。
【００２２】
無線インターフェース１６０は、ネットワークインターフェースであって、無線通信装置１００と、該無線通信装置１００が無線により接続を確立したネットワークアクセスポイントを介して通信可能な遠隔装置との間における無線接続を提供する。また、いくつかの実施形態では、無線インターフェース１６０は、携帯電話基地局と無線による接続を確立させる携帯電話インターフェースであってもよい。また他の実施形態では、無線インターフェース１６０は、８０２．１１アクセスポイントと無線による接続を確立させる８０２．１１準拠のＬＡＮインターフェースであってもよい。
【００２３】
さらにまた、いくつかの実施形態では、無線通信装置１００は、無線通信装置１００とローカル装置との間における有線接続を提供するよう構成された有線インターフェースを含むものであってもよい。
【００２４】
次に図２では、ローカルメモリ１２０に記憶される各プログラムが詳細に記載されており、より具体的には、オペレーティングシステム２１０、ビデオレコーダ／プレーヤ２２０、プログレスバー設定部２３０、およびマルチメディア・メッセージング・サービス／ワイヤレス・アプリケーション・プロトコル（ＭＭＳ／ＷＡＰ）クライアント部２４０を実現するためのプログラムが記憶される。プロセッサが、ローカルメモリ１２０からこれらプログラムＲＡＭ等に読み出し、実行することで、図１０に示すように、オペレーティングシステム２１０、ビデオレコーダ／プレーヤ２２０、プログレスバー設定部２３０、およびＭＭＳ／ＷＡＰクライアント部２４０の各部を実現することができる。なお、いくつかの実施形態では、上記ローカルメモリ１２０はフラッシュメモリであってもよい。オペレーティングシステム２１０は、無線通信装置１００によってサポートされる様々な特徴および機能を実現するソフトウェアプログラムであり、プロセッサ１１０によって管理および実行するための命令（instruction）を含んでいる。また、ビデオレコーダ／プレーヤ２２０は、１つ以上のソフトウェアプログラムを実装している。このソフトウェアプログラムは、ビデオキャプチャシステム１３０による動画シーケンスの取得を実行するように、プロセッサ１１０によって実行可能な命令を含んでいるとともに、ユーザインターフェース１４０のディスプレイに動画シーケンスを表示させるように、プロセッサ１１０によって実行可能な命令を含んでいる。また、ビデオレコーダ／プレーヤ２２０は、プログレスバー設定部２３０により設定された設定情報を呼び出し、動画シーケンスの対象とする用途と、動画シーケンスとの適合情報の表示を促す。上記プログレスバー設定部２３０は、動画シーケンスの対象とする用途に対応する、該動画シーケンスの制限された長さを指定するための設定部を備えている。いくつかの実施形態では、プログレスバー設定部２３０により設定された、上記制限された長さは、動画シーケンスの最長時間長（たとえば、数秒）として表される。また、他の実施形態では、上記プログレスバー設定部２３０により設定された、上記制限された長さは、動画シーケンスの最大データ長（たとえば、数キロバイト）として表される。ＭＭＳ／ＷＡＰクライアント部２４０は、ＭＭＳをメッセージング技術として用いるとともに、ＷＡＰを転送技術として用い、無線インターフェース１６０を介して動画シーケンスを転送するための、ＭＭＳおよびＷＡＰのクライアント機能をサポートするように構成されたソフトウェアプログラムを含むものである。
【００２５】
次に図３には、プログレスバー設定部２３０が有する典型的な設定テーブル３００が示されている。設定テーブル３００の各項目は、動画シーケンスの対象とする用途を示す識別子、およびキロバイト単位でのデータ制限を含んでいる。第１の項目は＜ＭＭＳ，１００＞である。この項目では、ＭＭＳメッセージにて、動画シーケンスを無線通信装置１００から無線インターフェース１６０によりオフロード（offloading）した後に、遠隔装置にて再生する、動画シーケンスの対象とする用途を示す。さらにまた、この項目では、動画シーケンスがこの対象とする用途において、妨害を受けることのない制限された長さが１００ＫＢ以下であることを示す。
【００２６】
なお、この対象とする用途での制限された長さは、ＭＭＳメッセージにおける最大サイズと合致する。例えば、ネットワークオペレータは、ＭＭＳメッセージの最大サイズを１００ｋＢに制限することができる。この場合、ＭＭＳ／ＷＡＰクライアント部２４０は、１００ｋＢを超えた動画シーケンスを切り取るか、あるいはこの１００ｋＢを超えた動画シーケンスをオフロードすることを拒絶することによって、１００ｋＢの、制限された長さを強制することができる。第２の項目は＜ＬＯＣ，２００＞である。この項目では、対象とする用途としてローカルメモリ１２０から読み出された動画シーケンスが再生されることを示し、動画シーケンスがこの対象とする用途において、妨害をうけることのない制限された長さが２００ＫＢ以下であることを示す。上記対象とする用途において制限された長さは、ローカルメモリ１２０が動画シーケンスを記憶するために利用可能なメモリ量に関連している。例えば、ローカルメモリ１２０において、利用可能なメモリ量は、２００ｋＢとなる。第３の項目は＜ＭＣ，４００＞である。この項目では、対象とする用途としてメモリカード１５０から動画シーケンスが再生されることを示し、そして動画シーケンスがこの対象とする用途において、妨害をうけることのない制限された長さが４００ＫＢ以下であることを示す。上記対象とする用途において制限された長さは、メモリカード１５０が画像列を記憶するために利用可能なメモリ量に関連している。例えば、メモリカード１５０において、利用可能なメモリ量は、４００ｋＢとなる。
【００２７】
言うまでもなく、上述した設定は単なる典型例であって、様々な制限された長さを持つ、様々な対象となる用途に対する項目が設定されてもよい。例えばいつくかの実施形態では、無線通信装置１００から有線インターフェースを介して動画シーケンスをオフロードし、ローカル装置において、該動画シーケンスを再生するといった、対象となる用途を示す項目があってよい。さらに、いくつかの実施形態では、制限された長さとして、動画シーケンスのデータ長ではなく、画像列が再生される時間長で表してもよい。しかしながら、取得した画像の変化量に応じて生成されるデータの質に依存するため、時間長は、特定のデータ長と固定的な関係として一致するものではないということは理解できよう。
【００２８】
プログレスバー設定部２３０により設定される設定情報は、無線通信装置１００の製造時に初期設定されていてもよく、無線通信装置１００のユーザが、例えばユーザインターフェース１４０のキーパッドからの入力を介して更新できるようになっていてもよい。いくつかの実施形態では、プログレスバー設定部２３０は、過渡的な条件（transient conditions）によって生じる長さ制限の変化（例えば、動画シーケンスを記憶するために現在利用可能なローカルメモリ１２０またはメモリカード１５０のメモリ量の変化等一時的変化）を反映して自動的に設定情報を更新するように構成されていてもよい。
【００２９】
次に図４には、本発明の一実施形態として、ユーザインターフェース１４０のディスプレイ４００の典型的な画面４１０が示されている。画面４１０は、ビデオキャプチャシステム１３０による動画シーケンスの取得と実質的に同時に、すなわち、ほぼリアルタイムで表示される。画面４１０は、ほぼリアルタイムで動画シーケンスを表示する一方で、該動画シーケンスとその対象とする用途とが適合しているかどうかの情報を、実質的にほぼリアルタイムで表示する。
【００３０】
図示されている上記実施形態では、２つの対象とする用途についての適合情報が示されている。第１の対象とする用途とは、ＭＭＳメッセージ形式で、無線インターフェース１６０を介してオフロードされた後の動画シーケンスの遠隔再生である。第２の対象とする用途とは、ローカルメモリ１２０から読み出した動画シーケンスのローカル再生である。上記適合情報は、ＭＭＳ制限マーカ４４０およびＬＯＣ制限マーカ４５０に関連する動画シーケンスの、現在の長さを示す現在長インジケータ４３０を有するプログレスバー４２０を備えている。ＭＭＳ制限マーカ４４０およびＬＯＣ制限マーカ４５０は、それぞれ、遠隔再生を行う対象とする用途での制限された長さ、ならびにローカル再生を行う対象とする用途での制限された長さに関連している。制限マーカ４４０，４５０は、プログレスバー４２０に沿ってわずかな距離だけ隔てられており、ビデオレコーダ／プレーヤ２２０によってプログレスバー設定部２３０の設定情報から読み出された、制限された長さに従って表示される。この制限された長さは、無線通信装置１００によってサポートされる、動画シーケンスの最大キャプチャ長の範囲内にある。例えば、図示されている実施形態では、無線通信装置１００によってサポートされる動画シーケンスの最大キャプチャ長は４００ｋＢであり、プログレスバー４２０は４００ｋＢ長となる。また、ＭＭＳメッセージ形式でオフロードした後に動画シーケンスを遠隔にて再生する場合の、制限された長さは１００ｋＢであり、ＭＭＳ制限マーカ４４０はプログレスバー４２０の４分の１の地点において表示されている。そして、ローカルメモリ１２０からの動画シーケンスをローカル再生する場合の、制限された長さは２００ｋＢであり、ＬＯＣ制限マーカ４５０はプログレスバー４２０の半分の地点に表示されている。
【００３１】
ユーザが動画シーケンスを撮影する等の操作中に、現在長インジケータ４３０がプログレスバー４２０を左から右へと横切って制限マーカ４４０，４５０に接近し、最終的にはこれらを過ぎてプログレスバー４２０の右端へ向かう。現在長インジケータ４３０が制限マーカ４４０，４５０に接近し、そして制限マーカ４４０，４５０を超過すると、ユーザに対して忠告画面イベントが発せられる。いくつかの実施形態では、各制限マーカ４４０，４５０に近づくと、画面４１０にテキストメッセージが表示されて、制限マーカ４４０，４５０のいずれか１つに関する対象とする用途にて設定された、制限された長さに達しつつあることをユーザに警告する。また、各制限マーカ４４０，４５０を越えると、画面４１０にテキストメッセージが表示されて、制限マーカ４４０，４５０のいずれか１つに関する対象とする用途にて設定された、制限された長さを超過したことをユーザに通知する。またいくつかの実施形態では、テキストメッセージに加えて、あるいはテキストメッセージの代わりに、現在長インジケータ４３０内での色変化により、上記制限された長さに関する動画シーケンスの現在の状態をユーザに通知するように構成されていてもよい。
【００３２】
制限マーカおよび通知画面イベントによって、動画シーケンスを撮影しているユーザが、その動画シーケンスの対象とする用途によって与えられた時間をよりよく配分できることが理解できよう。
【００３３】
警告画面イベントは、現在長インジケータ４３０が各制限マーカ４４０，４５０のうちの１つから数キロバイト離れているときに発せられる。いくつかの実施形態では、このキロバイト数を、プログレスバー設定部２３０により設定できるように構成されていてもよい。
【００３４】
次に図５には、無線通信装置１００によって実行される、対象とする用途による動画の制限の、第一の実施方法のフローが示されている。上記フローは、無線通信装置１００が動画シーケンスの取得開始を待つことから始まる（Ｓ５００、これ以降Ｓ５００のように称する）。つまり、ユーザがユーザインターフェース１４０のキーパッドにおける録画キーを押下し、該キーを解放することによって動画シーケンスの取得開始を起動させる。動画シーケンスの取得が開始されると、無線通信装置１００では、ビデオレコーダ／プレーヤ２２０が、プログレスバー設定部２３０により設定された設定情報を参照した上で、動画シーケンスに関して、対象とする用途に応じて設定される制限された長さ（ＴＵＬＬ）、すなわち有効なＴＵＬＬを判別する（ステップＳ５１０）。有効なＴＵＬＬ（operative TULL)が判別されると、無線通信装置１００では、ビデオレコーダ／プレーヤ２２０からの指示に応じて、取得されている動画シーケンスを、ほぼリアルタイムでディスプレイ４００に表示すると同時に、該動画シーケンスの現在の長さ、および有効なＴＵＬＬの中から判別された１つ以上のＴＵＬＬマーカを示す準リアルタイムプログレスバーを表示する（Ｓ５２０）。そして次のフローに進み、無線通信装置１００では、ユーザインターフェース１４０が、ユーザからの入力を待ち受ける（Ｓ５３０）。ここで、ユーザが、ユーザインターフェース１４０におけるキーパッドの停止キーを押下し、そして手を該停止キーから離すように入力した場合、無線通信装置１００は、即座に動画の取得を停止する。一方、ユーザが、ユーザインターフェース１４０におけるキーパッドのＴＵＬＬ  Ｘでの停止キー（所定長停止キー）を押下し、そして手を該停止キーから離すように入力した場合、無線通信装置１００は、例えば、ＭＭＳにおいて設定されるＴＵＬＬとして、Ｘで示されているＴＵＬＬを既に超過しているかどうか判別する（Ｓ５５０）。この示されているＴＵＬＬにまだ達していない場合、無線通信装置１００は、ＴＵＬＬ  Ｘに達した際に動画の取得を停止させる（Ｓ５６０）。一方、この示されているＴＵＬＬを既に超過してしまっている場合、無線通信装置１００は、動画の取得を即座に停止する（Ｓ５４０）。
【００３５】
すなわち、図５に示す対象とする用途による動画の制限の、第一の実施方法では、無線通信装置１００では、ユーザインターフェース１４０が、動画シーケンスの取得停止を指示する停止キーと、動画シーケンスの長さがＴＵＬＬ  Ｘとなる際に該動画シーケンスの取得停止を指示する停止キーとを備えている。そして、この２種類の停止キーを備えているため、ユーザが動画シーケンスの取得を即座に停止させたい場合は、停止キーを押下し、ユーザが動画シーケンスの取得をＴＵＬＬ  Ｘで停止させたい場合は、ＴＵＬＬ  Ｘでの停止キーを押下させることができる。このため、本実施の形態に係る無線通信装置１００では、制限された長さで動画シーケンスの取得を停止させるのか、現時点ですぐに動画シーケンスの取得を停止させるのかユーザが選択することができる。
【００３６】
そして、このユーザによる選択を事前に入力しておくことで、該ユーザは、取得している動画シーケンスの長さが、制限された長さに到達しているか否か監視続け、制限された長さと一致するちょうどのタイミングで動画シーケンスの取得を停止させるといった負担を強いられることがない。
【００３７】
よって、取得する動画シーケンスの長さに制限が設定されている場合、上記したユーザによる事前の入力によって適切なタイミングで動画シーケンスの取得を停止させることができる。
【００３８】
また、図６では、無線通信装置１００によって実行される、対象とする用途による動画の制限の、第二の実施方法のフローが示されている。上記フローは、無線通信装置１００が動画シーケンスの取得開始を待つことから始まる。つまり、ユーザが録画キーを押下し、該キーを解放すことによって動画シーケンスの取得開始を起動させる（Ｓ６００）。動画シーケンスの取得が開始されると、無線通信装置１００では、ビデオレコーダ／プレーヤ２２０が、プログレスバー設定部２３０により設定された設定情報を参照した上で、動画シーケンスに関する、有効なＴＵＬＬを判別する（Ｓ６１０）。有効なＴＵＬＬを判別すると、無線通信装置１００では、該ビデオレコーダ／プレーヤ２２０からの指示に応じて、取得した動画シーケンスをほぼリアルタイムでディスプレイ４００に表示させるとともに、該動画シーケンスの現在の長さと、有効なＴＵＬＬから判別した１以上のＴＵＬＬマーカとを示す、ほぼリアルタイムでのプログレスバーを同時に表示させる（Ｓ６２０）。次に、無線通信装置１００は、停止キーの押下を待ち受ける。停止キーが押下されると、無線通信装置１００は、終了イベントの発生を待つ（Ｓ６３０）。なお、この終了イベントとは、停止キーの解放、または次のＴＵＬＬへの到達により示される。無線通信装置１００は、停止キーが解放される、または次のＴＵＬＬに到達する、もしくはこれらのうち最初に生じた方に応じて動画の取得を停止する（Ｓ６４０）。
【００３９】
すなわち、図６に示す対象とする用途による動画の制限の、第二の実施方法では、ユーザインターフェース１４０は、少なくとも、押下した停止キーが解放された時点で終了イベントを発生させるように構成されている。したがって、ユーザは停止キーの押下した状態を所望するタイミングで解放させることで、動画シーケンスの取得を所望するタイミングで停止させることができる。
【００４０】
また、ビデオレコーダ／プレーヤ２２０からの指示に応じて、動画シーケンスの現在の長さと、ＴＵＬＬマーカとを示すプログレスバーをリアルタイムでディスプレイに表示させる構成である。
【００４１】
このため、ユーザは、このプログレスバーを参照しながら、動画シーケンスの取得を停止すべきタイミングを知ることができる。
【００４２】
したがって、無線通信装置１００では、適切なタイミングで動画シーケンスの取得を停止させることができる。
【００４３】
また、図７には、無線通信装置１００によって実行される、対象とする用途による動画の制限の第三の実施方法のフローが示されている。上記フローは、無線通信装置１００が動画シーケンスの取得開始を待ち受けることから始まる。この動画シーケンスの取得開始は、ユーザが録画キーを押下することにより起動する（Ｓ７００）。動画シーケンスの取得が開始されると、無線通信装置１００では、ビデオレコーダ／プレーヤ２２０が、プログレスバー設定部２３０により設定された設定情報を参照することにより、この動画シーケンスに対する有効なＴＵＬＬを判別する（Ｓ７１０）。上記有効なＴＵＬＬが判別されると、無線通信装置１００では、ビデオレコーダ／プレーヤ２２０からの指示に応じて、ディスプレイ４００にほぼリアルタイムで取得した動画シーケンスを表示するとともに、同時に、該動画シーケンスの現在の長さと、有効なＴＵＬＬから判別した１以上のＴＵＬＬマーカとを示す、ほぼリアルタイムでのプログレスバーを表示する（Ｓ７２０）。次に、無線通信装置１００は、録画キーの解放を待ち受ける。この録画キーが解放されると、無線通信装置１００は、この録画キーの押下と解放との間の時間経過が、例えば、３秒など所定時間を超過したか否か判別する（Ｓ７３０）。ここで、上記経過時間が、上記所定時間を超過していない場合（Ｓ７３０において「ＮＯ」）、無線通信装置１００は、例えば、停止キーが押下され解放されるまで、動画シーケンスの取得を継続する。すなわち、動画シーケンスの取得を継続し停止キーの入力を待ち受ける（Ｓ７４０）。一方、上記経過時間が所定時間を超過している場合（Ｓ７３０において「ＹＥＳ」）、無線通信装置１００は、例えば、ＭＭＳのＴＵＬＬなど、所定のＴＵＬＬに達すると、動画シーケンスの取得を停止する（Ｓ７５０）。
【００４４】
すなわち、図７に示す対象とする用途による動画の制限の、第三の実施方法では、録画キーが押下された状態が所定時間継続するか否かに応じて、停止キーの入力があるまで動画シーケンスの取得を継続させるのか、制限された長さに、取得した動画シーケンスの長さが到達するまで動画シーケンスの取得を継続させるのか選択することができる。
【００４５】
つまり、録画キーの押下状態によって、ユーザは自動的に取得した動画シーケンスが、制限された長さに達すると停止するように設定したり、該ユーザからの停止指示を受付け動画シーケンスの取得を停止するように設定したりすることができる。
【００４６】
したがって、無線通信装置１００では、ユーザが所望する適切なタイミングで動画シーケンスの取得を停止させることができる。
【００４７】
また、図８には、ユーザインターフェース１４０のディスプレイ４００における画面４１０についての第二の実施例が示されている。画面８１０は、ビデオキャプチャシステム１３０による動画シーケンスの取得と実質的に同時に、すなわち、ほぼリアルタイムで表示される。画面８１０は、ほぼリアルタイムで動画シーケンスを表示する一方で、該動画シーケンスとその対象とする用途とが適合しているかどうかの情報を、実質的にほぼリアルタイムで表示する。
【００４８】
図示されている上記実施形態では、２つの対象とする用途についての適合情報が示されている。第一の対象とする用途は、ＭＭＳメッセージ形式で、無線インターフェース１６０を介してオフロードされた後の動画シーケンスの遠隔再生である。第二の対象とする用途は、ローカルメモリ１２０から読み出した動画シーケンスのローカル再生である。上記適合情報は、ＭＭＳ制限マーカおよびＬＯＣ制限マーカに関連する動画シーケンスの、現在の長さを示す現在長インジケータ８３０を有するプログレスバー８２０を備えている。ＭＭＳ制限マーカおよびＬＯＣ制限マーカは、それぞれ、遠隔再生を行う対象とする用途における制限された長さ、ならびにローカル再生を行う対象とする用途における制限された長さに関連している。またＭＭＳ制限マーカおよびＬＯＣ制限マーカは、それぞれ時間窓８４０，８５０とも関連している。この時間窓８４０，８５０は、取得した動画シーケンスの長さがＴＵＬＬに達する前に設定された、ユーザが停止キーを押下し、解放する間の時間間隔を示しており、動画の取得を即座に終了させないというよりは、むしろ関連するＴＵＬＬに達するまで継続させるために規定された範囲である。この時間窓８４０，８５０の機能は、図９を参照することにより、さらに詳細に説明されるであろう。そこで、以下にこの時間窓８４０，８５０について記載する。
【００４９】
図９には、無線通信装置１００にて実行される、対象とする用途による動画の制限の、第四の実施方法のフローが示されている。上記フローは、無線通信装置１００が動画シーケンスの取得開始を待ち受けることから始まる。この動画シーケンスの取得開始は、ユーザが、ユーザインターフェース１４０のキーパッドにおける録画キーを押下し、解放することにより起動する（Ｓ９００）。動画シーケンスの取得が開始されると、無線通信装置１００では、ビデオレコーダ／プレーヤ２２０が、プログレスバー設定部２３０により設定された設定情報を参照することにより、この動画シーケンスに対する有効なＴＵＬＬ、すなわち対象とする用途により制限された長さを判別する。（Ｓ９１０）。上記有効なＴＵＬＬが判別されると、無線通信装置１００では、ビデオレコーダ／プレーヤ２２０からの指示に応じて、取得している動画シーケンスをほぼリアルタイムでディスプレイ８００に表示するとともに、同時に、この動画シーケンスの現在の長さ、上記有効なＴＵＬＬから判別した１以上のＴＵＬＬマーカ、ならびにこの有効なＴＵＬＬに関連する、１以上の時間窓８４０，８５０を含む、プログレスバーを表示する（Ｓ９２０）。次に、このフローは、無線通信装置１００がユーザインターフェース１４０のキーパッドにおける停止キーの押下および解放を待ち受ける状態へと進む。上記停止キーが押下され、解放されると、無線通信装置１００は、（上記プログレスバーの現在の長さによって示される）動画シーケンスの進捗状態が、時間間隔のうちの１つ、すなわち、ユーザにより停止キーが押下および解放されると、動画の取得をすぐに終了させるのではなく、（時間窓８４０、８５０によって示される）上記関連するＴＵＬＬに達するまで継続させるようになっており、その時間間隔のうちの１つの範囲にあるか否か判別する（S９３０）。上記停止キーが押下され解放された際に、時間窓８４０，８５０のうちの１つの範囲内に、動画シーケンスの現在の長さが無い場合（Ｓ９３０において「ＮＯ］）、無線通信装置１００は、動画の取得を即座に停止する（Ｓ９４０）。一方、上記停止キーが押下および解放された際に、上記動画シーケンスの現在の長さが、上記時間窓８４０，８５０のうちの１つの範囲内にある場合、無線通信装置１００は、この動画シーケンスの現在の長さが上記関連するＴＵＬＬに達した時に動画の取得を停止する（Ｓ９５０）。
【００５０】
すなわち、図９に示す対象とする用途による動画の制限の、第四の実施方法では、停止キーが押下され、解放された時点において、取得された動画シーケンスの長さが、時間窓８４０または時間窓８５０の範囲として規定された動画シーケンスの長さ内にあるか否かに応じて、該動画シーケンスを即座に停止させるのか、ＴＵＬＬに達するまで取得を継続させるのを選択することができる。
【００５１】
つまり、停止キーの押下、解放時点での動画シーケンスの取得状態によって、ユーザは自動的に取得した動画シーケンスが、制限された長さに達すると停止するように設定したり、該ユーザからの停止指示を受付け動画シーケンスの取得を停止するように設定したりすることができる。
【００５２】
したがって、無線通信装置１００では、ユーザが所望する適切なタイミングで動画シーケンスの取得を停止させることができる。
【００５３】
なお、図５から図７および図９に示す方法において実行されるステップそれぞれは、ビデオレコーダ／プレーヤ２２０によって実行もしくは促される。なお、このビデオレコーダ／プレーヤ２２０は、プロセッサ１１０により起動し、ビデオキャプチャシステム１３０、ユーザインターフェース１４０、およびプログレスバー設定部２３０とのインターフェースをとるものである。
【００５４】
また、図５から図７および図９に示す方法にて呼び出される、録画キー、停止キー、およびＴＵＬＬ  Ｘでの停止キーは、例えば、ハードキー、ソフトキー、または対象となる機能がメニュー上で現在選択されている際に、押下されたり解放されたりするメニュー選択キーであってもよい。また、いくつかの実施形態では、録画キー、停止キー、およびＴＵＬＬ  Ｘでの停止キーは、いかなるキーパッドととも関連しない、ボタン、レバー、またはスイッチであってもよい。録画キー、停止キー、およびＴＵＬＬ  Ｘでの停止キーがレバーおよびスイッチの場合、一連の押下／解放は、一連のレバーまたはスイッチの位置の切り替えに置き換えられる。
【００５５】
以上の第一の実施方法から第四の実施方法に示すように、上記無線通信装置１００では、ユーザからの指示に応じて動画シーケンスの取得を即座に停止させたり、ＴＵＬＬに達した時点で自動的に停止させたり容易に設定することができる。
【００５６】
このため、動画シーケンスとその動画シーケンスに関する少なくとも１つの、対象とする用途との適合についての情報（適合情報）をディスプレイに表示させるだけの構成と比較して、適切なタイミングでユーザが動画シーケンスの取得指示を実行しなければならないといった煩雑な操作を省くことができる点で特に有利である。
【００５７】
例えば、本件譲受人、ヘルビックに譲渡された、Helvic U.S. aplication Serial No. 11/583,230（「Helvic I」）では、無線通信装置のユーザの指示により取得した動画シーケンスとこの動画シーケンスに関する、対象とする用途との一致について、該ユーザに通知する方法およびシステムを提案している。「Helvic I」では、動画シーケンスがディスプレイ上に表示される一方で、動画シーケンスとその動画シーケンスに関する少なくとも1つの対象とする用途との適合についての情報（適合情報）がディスプレイ上に同時に表示される。この適合情報は、動画シーケンスの現在の長さと、この動画シーケンスに関する、対象とする用途において制限された長さとを、プログレスバー形式で現すように構成されている。そして、第1の通知は、動画シーケンスの現在の長さが、上記制限された長さに近づくとディスプレイで表示され、第２の通知は動画シーケンスの現在の長さが、上記制限された長さを越えるとディスプレイで表示される。
【００５８】
“Helvick I”で提案された、対象とする用途にて設定された長さ制限の通知は有用であるが、ユーザは継続的に進捗を監視し、適切なタイミングで動画シーケンスの取得を終了しなければならないという手間を負う。注意深く慎重なユーザの場合は、対象とする用途において設定された、制限された長さに到達する前に動画シーケンスの取得を終了し、結果として、対象とする用途で認められた、制限された長さの範囲で十分に動画シーケンスを利用できず、次善の長さの動画シーケンスとなる。一方、それほど慎重でないユーザの場合では、対象とする用途において設定された、制限された長さを超過した後に、動画キャプチャを終了し、結果として、動画シーケンスに設定された制限の長さを越え、上述のような付随する問題が発生する。
【００５９】
なお、上記した無線通信装置１００の構成は、プロセッサ１１０によって実現されるビデオレコーダ／プレーヤ２２０を、特に下記の各手段を有するものとして記載することができる。
【００６０】
すなわち、上記無線通信装置１００は、動画シーケンスを取得するためのビデオキャプチャシステムと、ユーザからの指示を受付けるユーザインターフェースと、上記ビデオキャプチャシステムに対し動画シーケンスの取得または停止を指示する取得制御手段と、上記取得手段からの指示に応じて、上記ビデオキャプチャシステムにより取得された動画シーケンスの長さを監視する監視手段とを備え、上記ユーザインターフェースから、上記動画シーケンスの対象とする用途により制限された長さで、この動画シーケンスの取得を終了させる事前の決定を示す入力を受付けた場合、上記監視手段が、監視している上記動画シーケンスの長さが上記制限された長さに達したと判断したとき、上記取得制御手段は、ビデオキャプチャシステムに動画シーケンスの取得の停止を指示するように構成されていてもよい。
【００６１】
また、上記無線通信装置１００は、上記した構成において、上記ユーザインターフェースは、取得した動画シーケンスの長さが所定の制限された長さに到達すると、該動画シーケンスの取得を停止させるように指示する停止指示を受付ける停止キーを備え、上記停止キーによる停止指示の入力を検知した場合、上記監視手段が、監視している上記動画シーケンスの長さが上記制限された長さに達したと判断したとき、上記取得制御手段は、上記ビデオキャプチャシステムに動画シーケンスの取得の停止を指示するように構成されていてもよい。
【００６２】
また、上記無線通信装置１００は、上記した構成において、上記ユーザインターフェースは、動画シーケンスの取得を停止させるように指示する停止指示を受付ける停止キーを備え、上記停止キーは、取得した動画シーケンスの長さが上記制限された長さに到達する前にユーザから停止指示を受付けると、該動画シーケンスの長さが、制限された長さに到達するまで、この停止指示を受付けた状態にて保持されるように構成されており、上記停止キーが停止指示を受付けた状態から解放された状態となった際、上記取得制御手段は、上記ビデオキャプチャシステムに動画シーケンスの取得の停止を指示するように構成されていてもよい。
【００６３】
また、上記無線通信装置１００は、上記した構成において、上記ユーザインターフェースは、動画シーケンスの取得を指示する取得指示の入力を受付ける録画キーと、動画シーケンスの取得を停止させるように指示する停止指示を受付ける停止キーとを備え、所定時間以上、上記録画キーが取得指示を受付けた状態であるか否かを判断する判断手段と、上記判断手段が、録画キーが所定時間以上、取得指示を受付けた状態であると判断した場合、上記監視手段が、監視している上記動画シーケンスの長さが上記制限された長さに達したと判断したとき、上記取得制御手段が、ビデオキャプチャシステムに動画シーケンスの取得の停止を指示し、上記判断手段が、録画キーによる取得指示の入力を受付けた状態が、所定時間未満であると判断した場合、上記停止キーにより受付けた停止指示を検知したとき、上記取得制御手段が、ビデオキャプチャシステムに動画シーケンスの取得の停止を指示するように構成されていてもよい。
【００６４】
また、上記無線通信装置１００は、上記した構成において、上記ユーザインターフェースは、動画シーケンスの取得を停止させるように指示する停止指示を受付ける停止キーを備え、上記停止キーが停止指示を受付けた状態から、該受付けた状態が解放される状態までの時間間隔であって、取得した動画シーケンスの長さが上記制限された長さに到達する前の、所定の時間間隔を示す時間窓が設定されており、上記監視手段が、停止キーが受付けた状態から解放された時点での、取得した動画シーケンスの長さが、上記時間窓として規定した範囲における動画シーケンスの長さであるか否か判断し、取得した動画シーケンスの長さが、上記時間窓として規定した範囲における動画シーケンスの長さである場合、監視している上記動画シーケンスの長さが上記制限された長さに達したと判断したとき、
上記取得制御手段は、ビデオキャプチャシステムに動画シーケンスの取得の停止を指示し、上記監視手段が、取得した動画シーケンスの長さが、上記時間窓として規定した範囲における動画シーケンスの長さにないと判断した場合、上記監視手段によるこの判断時点で、上記取得制御手段は、ビデオキャプチャシステムに動画シーケンスの取得の停止を指示するように構成されていてもよい。
【００６５】
以上のように本実施の形態に係る無線通信装置１００は、以下の構成を備えるものとして記載することができる。
【００６６】
すなわち、無線通信装置１００は、ビデオキャプチャシステムと、ユーザインターフェースと、これらビデオキャプチャシステムおよびユーザインターフェースと通信可能に接続されたプロセッサとを備え、上記プロセッサが、上記ビデオキャプチャシステムによって動画シーケンスを取得するように制御するとともに、上記動画シーケンスの対象とする用途により制限された長さで、この動画シーケンスの取得を停止させるための事前決定を示す指示を受付け、上記動画シーケンスの長さが上記制限された長さに達すると、この動画シーケンスの取得を停止させるように制御するように構成されていてもよい。
【００６７】
また、無線通信装置１００は、上記した構成において、上記入力には、取得した動画シーケンスの長さが上記制限された長さに到達する前に、ユーザインターフェースにおける該制限された長さでの停止キーを押下することを含んでもよい。
【００６８】
また、無線通信装置１００は、上記した構成において、上記入力には、取得した動画シーケンスの長さが上記制限された長さに到達する前に、ユーザインターフェースにおける停止キーを押下することと、制限された長さに到達するまで押下した位置にて該停止キーを保持することとを含んでもよい。
【００６９】
また、無線通信装置１００は、上記した構成において、上記入力には、上記ユーザインターフェースにおける録画キーを押下することと、所定時間、押下した位置にて録画キーを保持することを含んでもよい。
【００７０】
また、無線通信装置１００は、上記した構成において、上記入力には、取得した動画シーケンスの長さが上記制限された長さに到達する前の、所定の時間窓の範囲内で、ユーザインターフェースにおける停止キーを押下することを含んでもよい。
【００７１】
また、無線通信装置１００は、上記した構成において、上記ユーザインターフェースにて上記時間窓を表示するように構成されていてもよい。
【００７２】
また、無線通信装置１００は、上記した構成において、上記対象とする用途は、制限されたデータ長を規定するマルチメディアメッセージ形式にて、当該無線通信装置の無線インターフェースを介して上記動画シーケンスをオフロードするように構成されていてもよい。
【００７３】
また、以上のように本実施の形態に係る無線通信装置１００における方法は、以下のステップを含むものとして記載することができる。
【００７４】
対象とする用途による動画の制限を、無線通信装置にて実施する方法であって、動画シーケンスを取得するステップと、上記動画シーケンスに関する対象とする用途の制限された長さにて動画シーケンスの取得を停止する決定を示し、該制限された長さに到達する前に実行された入力に応じて、上記制限された長さに到達すると、動画シーケンスの取得を停止するステップとを含んでもよい。
【００７５】
上記方法は、上記したステップにおいて、上記入力には、取得した動画シーケンスの長さが上記制限された長さに到達する前に、ユーザインターフェースにおける該制限された長さでの停止キーを押下することを含んでもよい。
【００７６】
上記方法は、上記したステップにおいて、上記入力には、取得した動画シーケンスの長さが上記制限された長さに到達する前に、ユーザインターフェースにおける停止キーを押下することと、制限された長さに到達するまで押下した位置にて該停止キーを保持することとを含んでもよい。
【００７７】
上記方法は、上記したステップにおいて、上記入力には、上記ユーザインターフェースにおける録画キーを押下することと、所定時間、押下した位置にて録画キーを保持することを含んでもよい。
【００７８】
上記方法は、上記したステップにおいて、上記入力には、取得した動画シーケンスの長さが上記制限された長さに到達する前の、所定の時間窓の範囲内で、ユーザインターフェースにおける停止キーを押下することを含んでもよい。
【００７９】
上記方法は、上記したステップにおいて、上記ユーザインターフェースにて上記時間窓を表示すること含んでもよい。
【００８０】
上記方法は、上記したステップにおいて、上記対象とする用途は、制限されたデータ長を規定するマルチメディアメッセージ形式にて、当該無線通信装置の無線インターフェースを介して上記動画シーケンスをオフロードすることを含んでもよい。
【００８１】
また、対象とする用途による動画の制限を、無線通信装置にて実施する方法であって、
動画シーケンスを取得するステップと、上記動画シーケンスに関する対象とする用途の制限された長さにて動画シーケンスの取得を停止する事前決定の入力指示を受付けるステップと、上記制限された長さに到達すると、動画シーケンスの取得を停止するステップとを含んでもよい。
【００８２】
上記方法は、上記したステップにおいて、上記入力には、取得した動画シーケンスの長さが上記制限された長さに到達する前に、ユーザインターフェースにおける該制限された長さでの停止キーを押下することを含んでもよい。
【００８３】
上記方法は、上記したステップにおいて、上記入力には、取得した動画シーケンスの長さが上記制限された長さに到達する前に、ユーザインターフェースにおける停止キーを押下することと、制限された長さに到達するまで押下した位置にて該停止キーを保持することとを含んでもよい。
【００８４】
上記方法は、上記したステップにおいて、上記入力には、上記ユーザインターフェースにおける録画キーを押下することと、所定時間、押下した位置にて録画キーを保持することを含んでもよい。
【００８５】
上記方法は、上記したステップにおいて、上記入力には、取得した動画シーケンスの長さが上記制限された長さに到達する前の、所定の時間窓の範囲内で、ユーザインターフェースにおける停止キーを押下することを含んでもよい。
【００８６】
以上のような構成を有する無線通信装置１００および方法は、以下に示す基本的な特徴を有するものとすることもできる。
【００８７】
すなわち、無線通信装置１００は、ユーザからの指示に応じて取得した動画シーケンスを、この動画シーケンスに関する、対象とする用途で設定された、制限された長さで終了するように、無線通信装置のユーザからの事前の決定を受け付け、該取得した動画シーケンスの長さが上記制限された長さに近づくと事前の決定を実行する。このため、本発明では、ユーザが動画シーケンスの長さを継続的に監視し、適切な時に動画シーケンスの取得を終了させるといった負担を取り除くことができる。
【００８８】
また、本発明に係る一実施形態では、無線通信装置１００は、ビデオキャプチャシステム、ユーザインターフェース、および該ビデオキャプチャシステムとユーザインターフェースとに通信可能に接続されたプロセッサを備え、前記プロセッサの制御下、動画シーケンスはビデオキャプチャシステムによって取得されている。そして、動画シーケンスの対象とする用途で設定された、制限された長さにて、該動画シーケンスの取得を終了させる事前の決定を指示したユーザインターフェースにおける入力に応じて、動画シーケンスの取得を、上記制限された長さに達すると終了する。また、一実施形態では、上記入力には、上記制限された長さに達する前に、ユーザインターフェースの、制限された長さで停止する停止キーを押下することを含んでいる。また別の実施形態では、上記入力には、上記制限された長さに達する前に、ユーザインターフェースの、上記停止キーを押下し、取得した動画シーケンスの長さが上記制限された長さに達するまでこの停止キーを押下したままで維持することを含んでいる。また、別の実施形態では、上記入力には、ユーザインターフェースの、録画キーを押し、所定時間、該録画キーを押下したままにしておくことを含んでいる。さらに別の実施形態では、上記入力には、上記制限された時間に達する前に、所定の時間窓の範囲内でユーザインターフェースにおける停止キーを押下することを含む。なお、この時間窓はユーザインターフェースで表示することができる。
【００８９】
また本発明に係る他の形態では、対象とする用途の動画の制限を無線通信装置で実施する方法が、動画シーケンスを取得するステップと、動画シーケンスの長さが、この動画シーケンスに関する対象とする用途において設定された、制限された長さに達する前に、該動画シーケンスの取得を終了するように決定する指示を行う入力に応じて、この制限された長さに達すると、動画シーケンスの取得を停止するステップとを含む。
【００９０】
また、本発明に係る他の形態では、対象とする用途の動画の制限を無線通信装置で実施する方法が、動画シーケンスを取得するステップ、上記動画シーケンスに関する対象とする用途で設定された制限された長さで、該動画シーケンスの取得を終了する事前の決定を指示するための入力を受付けるステップ、および上記制限された長さに達すると上記動画シーケンスの取得を終了するステップを含む。
【００９１】
本発明に係るこれらの形態、およびその他の形態については、下記にて記載した図面の簡単な説明と共に、上述の説明を参照することでよりよく理解できるであろう。もちろん、本発明は添付の特許請求の範囲によって規定される。
【００９２】
本発明はその精神や本質的性質を逸脱することなく他の形態に実施されうることは、当業者には自明である。したがって本発明の記述は全て例示でありそれによって制限されるものではない。本発明の範囲は添付の請求項によって示されており、本発明と同等の意味および範囲を有する全ての変更は、本発明に包含される。
【００９３】
すなわち、本発明は上述した実施形態に限定されるものではなく、請求項に示した範囲で種々の変更が可能である。そして、請求項に示した範囲で適宜変更した技術的手段を組み合わせて得られる実施形態についても本発明の技術的範囲に含まれる。
【産業上の利用可能性】
【００９４】
本発明に係る通信装置は、対象とする用途に応じて、利用できる動画シーケンスの長さに制限が設定されている場合、事前の入力により該制限内で動画シーケンスを取得できる。このように、通信装置は、利用できるデータの長さに制限が設定されるような使用態様において幅広く適用できる。
【図面の簡単な説明】
【００９５】
【図１】本発明の実施形態を示す図であり、無線通信装置の概略構成を示すブロック図である。
【図２】本発明の実施形態を示す図であり、無線通信装置のローカルメモリに記録されるデータを示す図である。
【図３】本発明の実施形態を示す図であり、無線通信装置にて設定するプログレス・バー内のテーブル例を示す図である。
【図４】本発明の実施形態を示す図であり、無線通信装置が備えるディスプレイにおける第一の画面例を示す図である。
【図５】本発明の実施形態を示す図であり、無線通信装置によって実行される、第一の対象とする用途での動画への制限を実施する方法を示すフロー図である。
【図６】本発明の実施形態を示す図であり、無線通信装置によって実行される、第二の対象とする用途での動画への制限を実施する方法を示すフロー図である。
【図７】本発明の実施形態を示す図であり、無線通信装置によって実行される、第三の対象とする用途での動画への制限を実施する方法を示すフロー図である。
【図８】本発明の実施形態を示す図であり、無線通信装置が備えるディスプレイにおける第二の画面例を示す図である。
【図９】本発明の実施形態を示す図であり、無線通信装置によって実行される、第四の対象とする用途での動画への制限を実施する方法を示すフロー図である。
【図１０】本発明の実施形態を示す図であり、無線通信装置におけるプロセッサが備える機能ブロックを示すブロック図である。
【符号の説明】
【００９６】
１００  無線通信装置
１１０  プロセッサ
１２０  ローカルメモリ
１３０  ビデオキャプチャシステム
１４０  ユーザインターフェース（停止キー、所定長停止キー、録画キー、表示部）
１５０  メモリカード
１６０  無線インターフェース
２１０  オペレーティングシステム
２２０  ビデオレコーダ／プレーヤ
２３０  プログレスバー設定部
２４０  マルチメディア・メッセージング・サービス／ワイヤレス・アプリケーション・プロトコルクライアント部（ＭＭＳ／ＷＡＰクライアント部）
３００  設定テーブル
４００  ディスプレイ（表示部）
４１０  画面
４２０  プログレスバー
４３０  現在長インジケータ
４４０  ＭＭＳ制限マーカ
４５０  ＬＯＣ制限マーカ
８００  ディスプレイ（表示部）
８１０  画面
８２０  プログレスバー
８３０  現在長インジケータ
８４０  時間窓
８５０  時間窓
【図１】
2008167411.tif 000003
【図２】
2008167411.tif 000004
【図３】
2008167411.tif 000005
【図４】
2008167411.tif 000006
【図５】
2008167411.tif 000007
【図６】
2008167411.tif 000008
【図７】
2008167411.tif 000009
【図８】
2008167411.tif 000010
【図９】
2008167411.tif 000011
【図１０】
2008167411.tif 000012